(57)【要約】【課題】利便性を低下させることなく、収容空間に収容された物品の移動を規制するかばんを提供する。【解決手段】かばん１は、上面が開口し、開口を介して物品Ｂを出し入れ可能な収容空間１４を備えた本体１１と、収容空間１４に収容される内部ケース２を備えている。収容空間１４の内面には固定具１５が備えられている。内部ケース２は固定具１５に対して固定される被固定具２２を備えている。被固定具２２は、内部ケース２の下端部が収容空間１４の内底面に略当接した状態で、固定具１５に固定される位置に設けられている。【選択図】図２
0003223114.tif 000002
【実用新案登録請求の範囲】
【請求項１】
上面が開口し、当該開口を介して物品を出し入れ可能な収容空間を備えた本体と、
前記収容空間に収容される内部ケースを備え、
前記収容空間の内面に固定具を備え、
前記内部ケースは前記固定具に対して固定される被固定具を備え、
前記被固定具は、前記内部ケースの下端部が前記収容空間の内底面に略当接した状態で、前記固定具に固定される位置に設けられているかばん。
【請求項２】
前記固定具は前記収容空間の上端部近傍にのみ備えられている請求項１記載のかばん。
【請求項３】
前記開口を覆うかぶせを備え、
前記かぶせの一の端部は前記本体の第１の側に固定され、
前記固定具は前記収容空間の前記第１の側に備えられている請求項１または２記載のかばん。
【請求項４】
前記かばんは第２の側に一対の肩紐を備え、
前記固定具は前記収容空間の前記第２の側に備えられている請求項１から３のいずれか一項に記載のかばん。
【考案の詳細な説明】
【技術分野】
【０００１】
本考案は、かばん、特に、物品を収容する内部ケースを備えたかばんに関する。
【背景技術】
【０００２】
通常、かばんは大きな収容空間が形成されており、そこに様々な物品を収容することができる。しかしながら、収容空間の大きさに対して小さな物品を収容した場合には、収容空間内で物品が移動し、物品同士が当たって破損したり、物品を見つけにくかったりという不具合が生じる場合がある。
【０００３】
このような問題点を解決するために、例えば、特許文献１から４のかばん等が提案されている。特許文献２，４では、収容する物品に面ファスナー等を貼付し、かばん等の内面を面ファスナー等を貼り付けることができる素材としている。物品をかばんに収容する際には、面ファスナー等をかばん等の内面に貼り付ける。これにより、物品はかばん等の内面に貼り付くため、かばんの中で移動することを規制することができ、物品を容易に見つけることができる。
【０００４】
また、特許文献１，３では、ノートパソコン等の電子機器を収容するケースと、かばんと、に面ファスナーを貼付している。これにより、電子機器を収容したケースをかばんに収容する際に、互いの面ファスナーを貼り合わせ、ケースがかばんの中で移動することを規制することができる。
【先行技術文献】
【特許文献】
【０００５】
【特許文献１】実用新案登録第３０３２６８１号公報
【特許文献２】実用新案登録第３０６２９７９号公報
【特許文献３】特開２００１−１２０３２４号公報
【特許文献４】実用新案登録第３０８０１２４号公報
【考案の概要】
【考案が解決しようとする課題】
【０００６】
上述したように、特許文献１から４の技術を用いることにより、かばんに収容した物品がかばんの中で移動することを規制することはできる。しかしながら、これらの技術では、物品が宙吊り状態で保持されているため、電子機器のような重量物を保持するためには、かばんに対して貼り付く力が大きな面ファスナー等の固定具が必要となる。その場合には、取り外す際に大きな力が必要になり、利便性を低下させるおそれがある。また、重量物を宙吊りで保持するためには、かばん本体をその重量に耐えられる強度にする必要がある。強度を高くするためには、例えば、本体を構成する部材を厚くしたり、部材に芯を入れたりする必要がある。この場合には、重量が増加し、やはり利便性の低下につながる。
【０００７】
本考案は上記課題に鑑みてなされたものであり、その目的は、利便性を低下させることなく、収容空間に収容された物品の移動を規制するかばんを提供することにある。
【課題を解決するための手段】
【０００８】
上記課題を解決するための本考案に係るかばんの好適な実施形態の一つでは、上面が開口し、当該開口を介して物品を出し入れ可能な収容空間を備えた本体と、前記収容空間に収容される内部ケースを備え、前記収容空間の内面に固定具を備え、前記内部ケースは前記固定具に対して固定される被固定具を備え、前記被固定具は、前記内部ケースの下端部が前記収容空間の内底面に略当接した状態で、前記固定具に固定される位置に設けられている。
【０００９】
この構成では、内部ケースに設けられた被固定具が、収容空間の内面に設けられた固定具に対して固定されるため、収容空間内での内部ケースおよび内部ケースに収容された物品の移動を規制することができる。また、内部ケースが固定された状態では、内部ケースの下端部が収容空間の内底面に略当接しているため、物品の重量を底面で支持することができる。そのため、本体の側面の強度を必要以上に高める必要がなくなる。また、内部ケースを収容空間に収容するだけで、被固定具の位置が固定具に固定される位置となるため、内部ケースを容易に位置決めすることができる。
【００１０】
本考案に係るかばんの好適な実施形態の一つでは、前記固定具は前記収容空間の上端部近傍にのみ備えられている。
【００１１】
この構成では、固定具が収容空間の上端部近傍にしか設けられていないため、上端部の固定具と被固定具との固定状態を解除するだけで、内部ケースを取り出すことができる。
【００１２】
かばんの中に物品を収容する場合、特に、物品が重量物である場合には、物品を体の近くに位置させると、物品の重心が体に近くなり、安定してかばんを持つことができる。かぶせが付いたかばんを持つ際には、かぶせの開閉がしやすいように、かぶせが固定されている側を体側とするのが一般的である。また、リュックサックやランドセルのような一対の肩紐が付いた背負いかばんを背負う際には、当然ながら、肩紐が付いた側が体側となる。したがって、このようなかばんの収容空間の内壁面に物品を固定する場合には、かぶせが固定されて側や肩紐が固定されている側に物品を固定するのが好ましい。そのため、本考案に係るかばんの好適な実施形態の一つでは、前記開口を覆うかぶせを備え、前記かぶせの一の端部は前記本体の第１の側に固定され、前記固定具は前記収容空間の前記第１の側に備えられている。また、本考案に係るかばんの好適な実施形態の一つでは、前記かばんは第２の側に一対の肩紐を備え、前記固定具は前記収容空間の前記第２の側に備えられている。なお、第１の側および第２の側は開口が上になる姿勢における平面視で規定されている。
【図面の簡単な説明】
【００１３】
【図１】ランドセルの斜視図である。
【図２】かぶせを開いた状態のランドセルの斜視図、および、内部ケース、物品の平面図である。
【図３】収容空間に内部ケースを収容した状態のランドセルの部分断面図である。
【考案を実施するための形態】
【００１４】
以下に図面を用いて、本考案に係るかばんの実施形態を説明する。本実施形態では、かばんはランドセルとしている。図１は本実施形態におけるランドセルの斜視図である。また、図２はかぶせ（後述）を開いた状態のランドセルの斜視図および、内部ケース、物品の平面図である。なお、以下の説明における上下は、図１の姿勢を基準として規定されている。
【００１５】
図１に示すように、ランドセル１は、本体１１と、一対の肩紐１２と、かぶせ１３と、を備えている。本体１１は、略直方体であり、一の側面に一対の肩紐１２を備えている。この肩紐１２を両肩にかけることによって、ランドセル１を背負うことができる。なお、この肩紐１２が取り付けられている側が本考案における第２の側である。また、図２に示すように、本体１１は、上面が開口しており、この開口を介して収容空間１４に物品を出し入れすることができる。
【００１６】
かぶせ１３は略長方形状であり、一方の短辺が本体１１の上端部近傍に取り付けられている。なお、このかぶせ１３が取り付けられている側が本考案における第１の側である。具体的には、かぶせ１３の一の短辺は、本体１１の、肩紐１２が取り付けられている側の上端部近傍に取り付けられている。したがって、本実施形態では、第１の側と第２の側とは同じとなっている。かぶせ１３は可撓性を有しており、図１に示すように、開口を覆う姿勢とすることができる。
【００１７】
本実施形態における内部ケース２は、長方形状の２枚の革等の生地の３辺が縫い合わされたものであり、縫い合わされていない１辺が開口している。内部ケース２の内部には収容空間２１が形成されており、開口を介して収容空間２１に物品Ｂを出し入れすることができる。図２では、物品としてタブレット型端末Ｂを示している。
【００１８】
図２に示すように、収容空間１４の一の内面の上端部近傍には同じ高さに２つの磁石１５（本考案における固定具の例）が備えられている。この磁石１５は、例えば、Ｎ極が収容空間１４側となるように配置されている。
【００１９】
図から明らかなように、本実施形態では、磁石１５はかぶせ１３が固定されている側の収容空間１４の内面、すなわち、第１の側の内面に設けられている。また、磁石１５は肩紐１２が固定されている側の収容空間１４の内面、すなわち、第２の側の内面に設けられている。
【００２０】
一方、図２に示すように、内部ケース２の上端部近傍にも２つの磁石２２（本考案における被固定具の例）が備えられている。この磁石２２は、磁石１５との間に引力が生じる向きに配置されている。したがって、上述のように磁石１５が配置されている場合には、磁石２２はＳ極が外方（紙面裏側）を向くように配置されている。
【００２１】
図３は、タブレット型端末Ｂが収容された内部ケース２をかばん１の収容空間１４に収容した状態の、磁石１５を通る平面での側断面図である。図３に示すように、磁石２２は、内部ケース２を収容空間１４に収容し、内部ケース２の下端部が収容空間１４の内底面に当接した状態で、磁石１５と対向する位置に配置されている。
【００２２】
この内部ケース２を使用する際には、まず、内部ケース２の収容空間２１にタブレット型端末Ｂを収容する。そして、内部ケース２をかばん１の収容空間１４に収容する。このとき、上述したように、また図３に示すように、内部ケース２の下端が収容空間１４の内底面に略接しており、この状態で磁石１５の高さ位置と磁石２２の高さ位置とが略同じとなり、磁石１５と磁石２２とが対向する。したがって、収容空間１４に内部ケース２を収容するだけで、磁石２２の高さ位置を磁石１５の高さ位置に合わせることができる。これにより、磁石１５と磁石２２との間に引力が生じ、内部ケース２を収容空間１４の内面に固定することができる。さらに、内部ケース２の幅を収容空間の幅と略同じにしておけば、内部ケース２の幅方向での位置決めも容易となる。
【００２３】
上述したように、本実施形態では、磁石１５は収容空間１４の内面のうち、肩紐１２が固定されている側の面、かつ、かぶせ１３が固定されている側の面に設けられている。このような位置に磁石１５を設けることにより、かばん１を背負った際に、内部ケース２、すなわち、物品Ｂを体の近くに位置させることができる。そのため、物品Ｂの重心が体に近くなり、安定してかばん１を背負うことができる。
【００２４】
また、本実施形態では、磁石１５は収容空間１４の上端部近傍にしか設けられていない。そのため、内部ケース２を収容空間１４から取り出す際の磁石１５と磁石２２との固定の解除が容易である。
【００２５】
このように、本考案に係るかばんであれば、利便性を低下させることなく、内部ケース２を収容空間１４内に固定することができる。
【００２６】
〔別実施形態〕
（１）上述の実施形態では、かばんを肩紐１２およびかぶせ１３を備えたランドセルを用いて説明したが、かぶせを備えていない肩掛けかばん、かぶせを備えた手持ちかばん、肩掛けもかぶせもそなえていないかばんにも適用することができる。かぶせを備えていない肩掛けかばんの場合には、固定具１５を肩掛けが固定された側の内面に設けることが好ましい。また、かぶせが付いた手持ちかばんに適用する場合には、固定具１５をかぶせが固定された側の内面に設けることが好ましい。このような位置に固定具１５を設けることにより、物品を体の近くに位置させることができ、物品が重量物であっても安定してかばんを持つことができる。
【００２７】
（２）上述の実施形態では、固定具１５を収容空間１４の上端部付近にのみ設けたが、他の位置にも設けても構わない。
【００２８】
（３）上述の実施形態では、固定具１５および被固定具２２として磁石を用いたが、内部ケース２を収容空間１４の内面に固定できるものであれば、他のものを用いても構わない。
【産業上の利用可能性】
【００２９】
本考案は、ランドセル、リュックサック等の一対の肩紐によって両肩に背負うかばんをはじめとして、トートバッグ等の手持ちかばん、その他かばんにも利用することができる。
【符号の説明】
【００３０】
Ｂ：タブレット型端末（物品）
１：ランドセル（かばん）
１１：本体
１２：肩紐
１３：かぶせ
１４：収容空間
１５：磁石（固定具）
２：内部ケース
２２：磁石（被固定具）
【図１】
0003223114.tif 000003
【図２】
0003223114.tif 000004
【図３】
0003223114.tif 000005